(57)【要約】データ領域でないＢＣＡ領域におけるピットパターンまたは記録変調方式を規定して記録媒体ドライブの互換性を確保し、それにより、データの再生性能を向上させうる光情報記録媒体を提供する。  再生専用の光情報記録媒体が開示されている。この開示された光情報記録媒体は、機能または目的によって複数の領域を含み、前記複数の領域全体がピットで形成された再生専用の光情報記録媒体において、前記複数の領域のうち一部領域が、残りの他の領域と異なるピットパターンで形成されるか、または異なる記録変調方式を使用する。
2006517326.tif 000002
【特許請求の範囲】
【請求項１】
データがピット状に記録された複数の領域を備える再生専用の光情報記録媒体において、
前記複数の領域のうち少なくとも一つにあるピットが、複数の領域のうち他の領域と異なるピットパターンで形成されることを特徴とする光情報記録媒体。
【請求項２】
前記複数の領域は、
ＢＣＡ、リードイン領域、ユーザデータ領域及びリードアウト領域を含むことを特徴とする請求項１に記載の光情報記録媒体。
【請求項３】
前記ＢＣＡのピットパターンが、前記リードイン領域とユーザデータ領域のうち少なくとも一つに形成されたピットパターンと異なることを特徴とする請求項２に記載の光情報記録媒体。
【請求項４】
前記ＢＣＡのピットは、第１ストレートパターンまたは第１ウォッブリングパターンで形成され、前記リードイン領域とユーザデータ領域のうち少なくとも一つに形成されたピットパターンは、前記第１ストレートパターンと異なる第２ストレートパターンまたは前記第１ウォッブリングパターンと異なる第２ウォッブリングパターンで形成されたことを特徴とする請求項３に記載の光情報記録媒体。
【請求項５】
前記第１及び第２ストレートパターンは、ストレート単一パターン、ストレート特定パターン及びストレートランダムパターンのうち一つであることを特徴とする請求項４に記載の光情報記録媒体。
【請求項６】
前記第１及び第２ウォッブリングパターンは、ウォッブリング単一パターン、ウォッブリング特定パターン及びウォッブリングランダムパターンのうち一つであることを特徴とする請求項４または５に記載の光情報記録媒体。
【請求項７】
前記ＢＣＡ、リードイン領域、ユーザデータ領域及びリードアウト領域のうち少なくとも一つの領域が複数の小領域に分けられ、前記小領域のピットがそれぞれ異なるパターンで形成されることを特徴とする請求項２、３、４、５及び６のうち何れか一項に記載の光情報記録媒体。
【請求項８】
前記リードイン領域が第１領域及び第２領域を含み、前記第１領域のピットが第３ストレートパターン及び第３ウォッブリングパターンのうち一つで形成され、前記第２領域のピットが前記第１領域のピットパターンと異なる第４ストレートパターン及び第４ウォッブリングパターンのうち一つで形成されることを特徴とする請求項７に記載の光情報記録媒体。
【請求項９】
前記第３及び第４ストレートパターンは、ストレート単一パターン、ストレート特定パターン及びストレートランダムパターンのうち一つであることを特徴とする請求項８に記載の光情報記録媒体。
【請求項１０】
前記第３及び第４ウォッブリングパターンは、ウォッブリング単一パターン、ウォッブリング特定パターン及びウォッブリングランダムパターンのうち一つであることを特徴とする請求項８または９に記載の光情報記録媒体。
【請求項１１】
前記ユーザデータ領域は、
複数の基本記録単位と、前記基本記録単位ごとにそれぞれ基本記録単位の前後に配置されたランイン及びランアウトとを含むことを特徴とする請求項２、３及び４のうち何れか一項に記載の光情報記録媒体。
【請求項１２】
前記基本記録単位は、物理的クラスター、セクター、ＥＣＣブロック及びフレームのうち一つであることを特徴とする請求項１１に記載の光情報記録媒体。
【請求項１３】
前記基本記録単位のピットパターンと前記ランイン及びランアウトのピットパターンとが同じであることを特徴とする請求項１１に記載の光情報記録媒体。
【請求項１４】
前記基本記録単位のピットパターンと前記ランイン及びランアウトのピットパターンとが異なることを特徴とする請求項１１に記載の光情報記録媒体。
【請求項１５】
データがピット状に記録された複数の領域を備える再生専用の光情報記録媒体において、
前記複数の領域のうち少なくとも一つにあるピットが前記複数の領域のうち他のピットを形成するのに使われた記録変調方式と異なる記録変調方式で形成されたことを使用することを特徴とする光情報記録媒体。
【請求項１６】
前記複数の領域は、
ＢＣＡ、リードイン領域、ユーザデータ領域及びリードアウト領域を含むことを特徴とする請求項１５に記載の光情報記録媒体。
【請求項１７】
前記ＢＣＡの記録変調方式と、前記リードイン領域及びユーザデータ領域のうち、少なくとも一つの記録変調方式とが異なることを特徴とする請求項１６に記載の光情報記録媒体。
【請求項１８】
前記記録変調方式は、ＲＬＬ（ｄ,ｋ）またはバイフェーズ変調方式であることを特徴とする請求項１７に記載の光情報記録媒体。
【請求項１９】
前記ＢＣＡ、リードイン領域、ユーザデータ領域及びリードアウト領域のうち少なくとも一つの領域が複数の小領域に分けられ、前記小領域のピットがそれぞれ異なる記録変調方式を使用して形成されることを特徴とする請求項１６に記載の光情報記録媒体。
【請求項２０】
前記リードイン領域が第１領域及び第２領域を含み、前記第１領域がＲＬＬ（ｄ,ｋ）変調方式またはバイフェーズ変調方式を使用し、第２領域が前記第１領域の記録変調方式と異なる変調方式を使用することを特徴とする請求項１９に記載の光情報記録媒体。
【請求項２１】
データがピット状に記録された複数の領域を有する複数の記録層を備え、前記複数の領域のうち少なくとも一つにあるピットが、複数の領域のうち残りの領域に形成されたピットと異なるピットパターンであることを特徴とする再生専用の光情報記録媒体。
【請求項２２】
複数個の領域を有する再生専用の光情報記録媒体に情報を記録する方法であって、
複数の領域のうち少なくとも一つに第１ピットパターンのピット状にデータを記録するステップと、
前記複数の領域と異なる所に前記第１ピットと異なる第２ピットパターンのピット状にデータを記録するステップとを含むことを特徴とする方法。
【請求項２３】
前記複数の領域は、
ＢＣＡ、リードイン領域、ユーザデータ領域及びリードアウト領域を含むことを特徴とする請求項２２に記載の方法。
【請求項２４】
前記ＢＣＡのピットパターンが、前記リードイン領域とユーザデータ領域のうち少なくとも一つに形成されたピットパターンと異なることを特徴とする請求項２３に記載の方法。
【請求項２５】
前記ＢＣＡのピットは、第１ストレートパターンまたは第１ウォッブリングパターンで形成され、前記リードイン領域とユーザデータ領域のうち少なくとも一つに形成されたピットパターンは、前記第１ストレートパターンと異なる第２ストレートパターンまたは前記第１ウォッブリングパターンと異なる第２ウォッブリングパターンで形成されたことを特徴とする請求項２４に記載の方法。
【請求項２６】
前記第１及び第２ストレートパターンは、ストレート単一パターン、ストレート特定パターン及びストレートランダムパターンのうち一つであることを特徴とする請求項２５に記載の方法。
【請求項２７】
前記第１及び第２ウォッブリングパターンは、ウォッブリング単一パターン、ウォッブリング特定パターン及びウォッブリングランダムパターンのうち一つであることを特徴とする請求項２５または２６に記載の方法。
【請求項２８】
前記ＢＣＡ、リードイン領域、ユーザデータ領域及びリードアウト領域のうち少なくとも一つの領域が複数の小領域に分けられ、前記小領域のピットがそれぞれ異なるパターンで形成されることを特徴とする請求項２３、２４、２５及び２６のうち何れか一項に記載の方法。
【請求項２９】
前記リードイン領域が第１領域及び第２領域を含み、前記第１領域のピットが第３ストレートパターン及び第３ウォッブリングパターンのうち一つで形成され、前記第２領域のピットが前記第１領域のピットパターンと異なる第４ストレートパターン及び第４ウォッブリングパターンのうち一つで形成されることを特徴とする請求項２８に記載の方法。
【請求項３０】
前記第３及び第４ストレートパターンは、ストレート単一パターン、ストレート特定パターン及びストレートランダムパターンのうち一つであることを特徴とする請求項２９に記載の方法。
【請求項３１】
前記第３及び第４ウォッブリングパターンは、ウォッブリング単一パターン、ウォッブリング特定パターン及びウォッブリングランダムパターンのうち一つであることを特徴とする請求項２９に記載の方法。
【請求項３２】
前記ユーザデータ領域は、
複数の基本記録単位と、前記基本記録単位ごとにそれぞれ基本記録単位の前後に配置されたランイン及びランアウトとを含むことを特徴とする請求項２３、２４及び２５のうち何れか一項に記載の方法。
【請求項３３】
前記基本記録単位は、物理的クラスター、セクター、ＥＣＣブロック及びフレームのうち一つであることを特徴とする請求項３２に記載の方法。
【請求項３４】
前記基本記録単位のピットパターンと前記ランイン及びランアウトのピットパターンとが同じであることを特徴とする請求項３２に記載の方法。
【請求項３５】
前記基本記録単位のピットパターンと前記ランイン及びランアウトのピットパターンとが異なることを特徴とする請求項３２に記載の方法。
【請求項３６】
複数の領域を備える再生専用の光情報記録媒体からデータを再生する方法において、
第１変調方式によって、前記複数の領域のうち少なくとも一つにピット状にデータを記録するステップと、
前記第１変調方式と異なる第２変調方式によって、前記複数の領域のうち他の領域にピット状にデータを記録するステップとを含むことを特徴とする方法。
【請求項３７】
前記複数の領域は、
ＢＣＡ、リードイン領域、ユーザデータ領域及びリードアウト領域を含むことを特徴とする請求項３６に記載の方法。
【請求項３８】
前記ＢＣＡの記録変調方式と、前記リードイン領域及びユーザデータ領域のうち少なくとも一つの記録変調方式とが異なることを特徴とする請求項３７に記載の方法。
【請求項３９】
前記ＢＣＡ、リードイン領域及びユーザデータ領域に使われた記録変調方式がＲＬＬ（ｄ,ｋ）またはバイフェーズ変調方式であることを特徴とする請求項３８に記載の方法。
【請求項４０】
前記ＢＣＡ、リードイン領域、ユーザデータ領域及びリードアウト領域のうち少なくとも一つの領域が複数の小領域に分けられ、前記小領域のピットがそれぞれ異なる記録変調方式を使用して形成されることを特徴とする請求項３７に記載の方法。
【請求項４１】
前記リードイン領域が第１領域及び第２領域を含み、前記第１領域がＲＬＬ（ｄ,ｋ）変調方式またはバイフェーズ変調方式を使用し、第２領域が前記第１領域の記録変調方式と異なる変調方式を使用することを特徴とする請求項４０に記載の方法。
【請求項４２】
再生専用の情報記録媒体にデータを記録する方法において、
前記媒体によって規定された第１ピットパターン及び第１記録変調方式のうち一つを使用して、複数の領域のうち一つにデータを記録するステップと、
第２ピットパターン及び第２記録変調方式のうち一つを使用して、複数の領域のうち少なくとも一つの他の領域にデータを記録するステップと、を含み、
第１ピットパターンが複数の領域のうち一つにデータを記録するのに使われる時、複数の領域のうち、他の領域のうち少なくとも一つにデータを記録するのに前記第２ピットパターンのみが使われ、
第１変調方式が複数の領域のうち一つにデータを記録するのに使われる時、前記複数の領域のうち、他の領域のうち少なくとも一つにデータを記録するのに第２変調方式のみが使われることを特徴とする方法。
【請求項４３】
複数の記録層に複数の領域を備える再生専用の光情報記録媒体に情報を記録する方法において、
前記複数の領域のうち少なくとも一つに第１ピットパターンでデータを記録するステップと、
前記第１ピットパターンと異なる第２ピットパターンのピット状に複数の領域のうち残りの領域にデータを記録するステップとを含むことを特徴とする方法。
【請求項４４】
複数の領域を有する再生専用の光情報記録媒体から情報を再生する方法において、
第１ピットパターンのピット状に複数の領域のうち少なくとも一つに記録されたデータを再生するステップと、
前記第１ピットパターンと異なる第２ピットパターンのピット状に複数の領域のうち残りの領域に記録されたデータを再生するステップとを含むことを特徴とする方法。
【請求項４５】
前記複数の領域は、
ＢＣＡ、リードイン領域、ユーザデータ領域及びリードアウト領域を含むことを特徴とする請求項４４に記載の方法。
【請求項４６】
前記ＢＣＡのピットパターンが、前記リードイン領域及びユーザデータ領域のうち少なくとも一つに形成されたピットパターンと異なることを特徴とする請求項４５に記載の方法。
【請求項４７】
前記ＢＣＡのピットは、第１ストレートパターンまたは第１ウォッブリングパターンで形成され、前記リードイン領域及びユーザデータ領域のうち少なくとも一つに形成されたピットパターンは、前記第１ストレートパターンと異なる第２ストレートパターンまたは前記第１ウォッブリングパターンと異なる第２ウォッブリングパターンで形成されたことを特徴とする請求項４６に記載の方法。
【請求項４８】
前記第１及び第２ストレートパターンは、ストレート単一パターン、ストレート特定パターン及びストレートランダムパターンのうち一つであることを特徴とする請求項４７に記載の方法。
【請求項４９】
複数の領域を備える再生専用の光情報記録媒体から情報を記録する方法において、
第１変調方式によって、複数の領域のうち少なくとも一つにピット状に記録されたデータを再生するステップと、
前記第１変調方式と異なる第２変調方式によって、複数の領域のうち残りの領域にピット状に記録されたデータを再生するステップとを含むことを特徴とする方法。
【請求項５０】
複数の記録層を含む再生専用の光情報記録媒体に情報を記録する方法において、
第１ピットパターンのピット状に前記複数の領域のうち少なくとも一つに記録されたデータを再生するステップと、
前記第１ピットパターンと異なる第２ピットパターンのピット状に複数の領域の残りの領域に記録されたデータを再生するステップとを含むことを特徴とする方法。
【請求項５１】
複数の記録層を含む再生専用の光情報記録媒体に／から情報を記録／再生する方法において、
第１ピットパターンのピット状に複数の領域のうち少なくとも一つにデータを記録するステップと、
前記第１ピットパターンと異なる第２ピットパターンのピット状に複数の領域のうち残りの領域にデータを記録するステップと、
前記複数の領域のうち少なくとも一つから、そして前記複数の領域のうち残りの領域のうち少なくとも一つからデータを再生するステップとを含むことを特徴とする方法。
【請求項５２】
複数の領域を備える再生専用の光情報記録媒体に／から情報を記録／再生する方法において、
第１変調方式によって、複数の領域のうち少なくとも一つにピット状にデータを記録するステップと、
前記第１変調方式と異なる第２変調方式によって、複数の領域のうち残りの領域にピット状にデータを記録するステップと、
複数の領域のうち少なくとも一つから、そして複数の領域のうち残りの領域の少なくとも一つからデータを再生するステップとを含むことを特徴とする方法。
【請求項５３】
複数の領域を有する再生専用の光情報記録媒体を使用するための記録装置において、
複数の領域にデータを記録する記録ユニットと、
第１ピットパターンのピット状に複数の領域のうち少なくとも一つにデータを記録するように前記記録ユニットを制御し、前記第１ピットパターンと異なる第２ピットパターンのピット状に複数の領域のうち残りの領域にデータを記録するように記録ユニットを制御する制御部とを備えることを特徴とする装置。
【請求項５４】
前記複数の領域は、
ＢＣＡ、リードイン領域、ユーザデータ領域及びリードアウト領域を含むことを特徴とする請求項５３に記載の装置。
【請求項５５】
前記ＢＣＡのピットパターンが前記リードイン領域及びユーザデータ領域のうち少なくとも一つに形成されたピットパターンと異なることを特徴とする請求項５４に記載の装置。
【請求項５６】
前記ＢＣＡのピットは、第１ストレートパターンまたは第１ウォッブリングパターンで形成され、前記リードイン領域及びユーザデータ領域のうち少なくとも一つに形成されたピットパターンは、前記第１ストレートパターンと異なる第２ストレートパターンまたは前記第１ウォッブリングパターンと異なる第２ウォッブリングパターンで形成されたことを特徴とする請求項５５に記載の装置。
【請求項５７】
前記第１及び第２ストレートパターンは、ストレート単一パターン、ストレート特定パターン及びストレートランダムパターンのうち一つであることを特徴とする請求項５６に記載の装置。
【請求項５８】
前記第１及び第２ウォッブリングパターンは、ウォッブリング単一パターン、ウォッブリング特定パターン及びウォッブリングランダムパターンのうち一つであることを特徴とする請求項５６または５７に記載の装置。
【請求項５９】
前記ＢＣＡ、リードイン領域、ユーザデータ領域及びリードアウト領域のうち少なくとも一つの領域が複数の小領域に分けられ、前記小領域のピットがそれぞれ異なるパターンで形成されることを特徴とする請求項５４ないし５７のうち何れか一項に記載の装置。
【請求項６０】
前記リードイン領域が第１領域及び第２領域を含み、前記第１領域のピットが第３ストレートパターン及び第３ウォッブリングパターンのうち一つで形成され、前記第２領域のピットが前記第１領域のピットパターンと異なる第４ストレートパターン及び第４ウォッブリングパターンのうち一つで形成されることを特徴とする請求項５９に記載の装置。
【請求項６１】
前記第３及び第４ストレートパターンは、ストレート単一パターン、ストレート特定パターン及びストレートランダムパターンのうち一つであることを特徴とする請求項６０に記載の装置。
【請求項６２】
前記第３及び第４ウォッブリングパターンは、ウォッブリング単一パターン、ウォッブリング特定パターン及びウォッブリングランダムパターンのうち一つであることを特徴とする請求項５９に記載の装置。
【請求項６３】
前記ユーザデータ領域は、
複数の基本記録単位と、前記基本記録単位ごとにそれぞれ基本記録単位の前後に配置されたランイン及びランアウトとを含むことを特徴とする請求項５９に記載の装置。
【請求項６４】
前記基本記録単位は、物理的クラスター、セクター、ＥＣＣブロック及びフレームのうち一つであることを特徴とする請求項６３に記載の装置。
【請求項６５】
前記基本記録単位のピットパターンと前記ランイン及びランアウトのピットパターンとが同じであることを特徴とする請求項６３に記載の装置。
【請求項６６】
前記基本記録単位のピットパターンと前記ランイン及びランアウトのピットパターンとが異なることを特徴とする請求項６３に記載の装置。
【請求項６７】
複数の領域を有する再生専用の光情報記録媒体を使用するための記録装置において、
前記複数の領域にデータを記録する記録ユニットと、
第１変調方式によって、前記複数の領域のうち少なくとも一つにピット状にデータを記録するように記録ユニットを制御し、前記第１変調方式と異なる第２変調方式によって、複数の領域の残りの領域にピット状にデータを記録するように記録ユニットを制御する制御部とを備えることを特徴とする記録装置。
【請求項６８】
複数の領域を有する再生専用の光情報記録媒体を使用するための記録装置において、
前記複数の領域にデータを記録する記録ユニットと、
前記媒体に規定された第１ピットパターン及び第１記録変調方式のうち一つを使用して、複数の領域のうち一つにデータを記録するように前記記録ユニットを制御し、第２ピットパターン及び第２記録変調方式のうち一つを使用して、複数の領域のうち残りの領域の少なくとも一つにデータを記録するように記録ユニットを制御する制御部と、を備え、
第１ピットパターンが複数の領域のうち一つにデータを記録するのに使われる時、複数の領域のうち、他の領域のうち少なくとも一つにデータを記録するのに前記第２ピットパターンのみが使われ、
第１変調方式が複数の領域のうち一つにデータを記録するのに使われる時、前記複数の領域のうち、他の領域のうち少なくとも一つにデータを記録するのに第２変調方式のみが使われることを特徴とする記録装置。
【請求項６９】
複数の層に複数の領域を有する再生専用の光情報記録媒体を使用するための記録装置において、
前記複数の領域にデータを記録する記録ユニットと、
第１ピットパターンのピット状に前記複数の領域のうち少なくとも一つにデータを記録するように記録ユニットを制御し、前記第１ピットパターンと異なる第２ピットパターンのピット状に複数の領域のうち残りの領域にデータを記録するように前記記録ユニットを制御する制御部とを備えることを特徴とする記録装置。
【請求項７０】
複数の領域を有する再生専用の光情報記録媒体を使用するための再生装置において、
前記複数の領域からデータを再生する再生ユニットと、
前記第１ピットパターンのピット状に複数の領域のうち少なくとも一つでデータを再生するように前記再生ユニットを制御し、第１ピットパターンと異なる第２ピットパターンのピット状に複数の領域のうち残りの領域にデータを再生するように前記再生ユニットを制御する制御部とを備えることを特徴とする再生装置。
【請求項７１】
複数の領域を有する再生専用の光情報記録媒体を使用するための再生装置において、
複数の領域からデータを再生する再生ユニットと、
第１変調方式によって、複数の領域のうち少なくとも一つにピット状のデータを再生するように前記再生ユニットを制御し、前記第１変調方式と異なる第２変調方式によって、複数の領域のうち残りの領域にピット状のデータを再生するように再生ユニットを制御する制御部とを備えることを特徴とする再生装置。
【請求項７２】
複数の領域を有する再生専用の光情報記録媒体を使用するための記録及び再生装置において、
複数の領域に／からデータを記録／再生する記録及び再生ユニットと、
第１ピットパターンのピット状に複数の領域のうち少なくとも一つにデータを記録するように前記記録及び再生ユニットを制御し、前記第１ピットパターンと異なる第２ピットパターンのピット状に複数の領域の残りの領域にデータを再生するように前記記録及び再生ユニットを制御し、前記第１ピットパターン及び第２ピットパターンのうち少なくとも一つのデータを再生するように前記記録及び再生ユニットを制御する制御部とを備えることを特徴とする記録及び再生装置。
【請求項７３】
複数の領域を有する再生専用の光情報記録媒体を使用するための記録及び再生装置において、
前記複数の領域に／からデータを記録／再生する記録及び再生ユニットと、
第１変調方式によって、複数の領域のうち少なくとも一つにピット状にデータを記録するように前記記録及び再生ユニットを制御し、前記第１変調方式と異なる第２変調方式によって、複数の領域の残りの領域にピット状にデータを記録するように前記記録及び再生ユニットを制御し、前記第１変調方式及び第２変調方式のうち少なくとも一つでデータを再生するように記録及び再生ユニットを制御する制御部とを備えることを特徴とする記録及び再生装置。
【発明の詳細な説明】
【技術分野】
【０００１】
本発明は、再生専用の光情報記録媒体、情報記録／再生方法、そして記録／再生装置に係り、さらに詳細には、複数の領域を備え、各領域にデータが異なる変調方式で記録されるか、または異なるピットパターンで記録される光情報記録媒体、前記光情報記録媒体に情報を記録／再生する方法及び装置に関する。
【背景技術】
【０００２】
光情報記録媒体、例えば、光ディスクは、非接触式で情報を記録／再生する光ピックアップ装置の情報記録媒体として広く採用され、情報記録容量によってコンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４.７ＧＢ  ＤＶＤ＋ＲＷがある。さらに、記録容量が２３ＧＢであるＨＤ−ＤＶＤも開発されつつある。
【０００３】
しかし、前記のような多様な種類の光情報記録媒体は、互換性を通じてユーザの便宜を図るか、または経済性を考慮して、記録媒体の種類別に標準化された規格を有しており、未規格化の記録媒体については、標準化のための努力が進められつつある。したがって、標準化のために、既存の記録媒体との互換性や一貫性を確保する方向にフォーマットについての開発が要求される。
【０００４】
従来の再生専用の光ディスクは、図１に示したように、ＢＣＡ（バーストカッティングエリア）１０、リードイン領域２０、ユーザデータ領域３０及びリードアウト領域４０を含む。ＢＣＡ  １０には、光ディスクの一連番号についての情報が記録され、リードイン領域２０には、ディスク関連情報が記録されるが、ＢＣＡ  １０に光ディスクの一連番号がバーコードで記録される。
【発明の開示】
【発明が解決しようとする課題】
【０００５】
本発明が解決しようとする課題は、他の種類の光情報記録媒体との一貫性を維持し、記録パターンまたは記録変調方式を規定してドライブ互換性を向上させた光情報記録媒体を提供することである。
【０００６】
本発明が解決しようとする他の課題は、後述する説明で一部説明され、その説明から明白になり、発明の実施によって習得される。
【課題を解決するための手段】
【０００７】
前記課題を達成するために本発明は、データがピット状に記録された複数の領域を備える再生専用光情報記録媒体を提供する。複数の領域のうち少なくとも一つにあるピットが複数の領域の残りに形成されたピットと異なるピットパターンである。
【０００８】
前記複数の領域は、ＢＣＡ、リードイン領域、ユーザデータ領域及びリードアウト領域を含みうる。
【０００９】
前記ＢＣＡのピットパターンが前記リードイン領域及びユーザデータ領域のうち少なくとも一つに形成されたピットパターンと異なりうる。
【００１０】
前記ＢＣＡのピットは、第１ストレートパターンまたは第１ウォッブリングパターンで形成され、前記リードイン領域及びユーザデータ領域のうち少なくとも一つに形成されたピットパターンは、前記第１ストレートパターンと異なる第２ストレートパターンまたは前記第１ウォッブリングパターンと異なる第２ウォッブリングパターンで形成される。
【００１１】
前記リードイン領域が第１領域及び第２領域を含み、前記第１領域のピットが第３ストレートパターン及び第３ウォッブリングパターンのうち一つで形成され、前記第２領域のピットが前記第１領域のピットパターンと異なる第４ストレートパターン及び第４ウォッブリングパターンのうち一つで形成される。
【００１２】
前記第３及び第４ストレートパターンは、ストレート単一パターン、ストレート特定パターン及びストレートランダムパターンのうち一つでありうる。
【００１３】
前記第３及び第４ウォッブリングパターンは、ウォッブリング単一パターン、ウォッブリング特定パターン及びウォッブリングランダムパターンのうち一つでありうる。
【００１４】
前記ユーザデータ領域は、複数の基本記録単位と、前記基本記録単位ごとにそれぞれ基本記録単位の前後に配置されたランイン及びランアウトとを含みうる。
【００１５】
前記課題を達成するために本発明は、データがピット状に記録された複数の領域を備える再生専用の光情報記録媒体において、前記複数の領域のうち少なくとも一つにあるピットが前記複数の領域のうち他のピットを形成するのに使われた記録変調方式と異なる記録変調方式で形成されたものを使用できる。
【００１６】
前記複数の領域は、ＢＣＡ、リードイン領域、ユーザデータ領域及びリードアウト領域を含みうる。
【００１７】
前記ＢＣＡの記録変調方式と、前記リードイン領域及びユーザデータ領域のうち少なくとも一つの記録変調方式が異なりうる。
【００１８】
前記記録変調方式は、ＲＬＬ（ｄ,ｋ）またはバイフェーズ変調方式でありうる。
【００１９】
前記ＢＣＡ、リードイン領域、ユーザデータ領域及びリードアウト領域のうち少なくとも一つの領域が複数の小領域に分けられ、前記小領域のピットがそれぞれ異なる記録変調方式を使用して形成される。
【００２０】
本発明によれば、データがピット状に記録された複数の領域を有する複数の記録層を備え、前記複数の領域のうち少なくとも一つにあるピットが複数の領域のうち残りの領域に形成されたピットと異なるピットパターンで形成された再生専用の光情報記録媒体を提供する。
【００２１】
本発明によれば、複数個の領域を有する再生専用の光情報記録媒体に情報を記録する方法として、複数の領域のうち少なくとも一つに第１ピットパターンのピット状にデータを記録するステップと、前記複数の領域と異なる所に前記第１ピットと異なる第２ピットパターンのピット状にデータを記録するステップと、を含むことを特徴とする方法を提供する。
【００２２】
本発明によれば、複数の領域を備える再生専用の光情報記録媒体からデータを再生する方法において、第１変調方式によって、前記複数の領域のうち少なくとも一つにピット状にデータを記録するステップと、前記第１変調方式と異なる第２変調方式によって、前記複数の領域のうち他の領域にピット状にデータを記録するステップとを含む方法を提供する。
【００２３】
本発明によれば、再生専用の情報記録媒体にデータを記録する方法において、前記媒体によって規定された第１ピットパターン及び第１記録変調方式のうち一つを使用して、複数の領域のうち一つにデータを記録するステップと、第２ピットパターン及び第２記録変調方式のうち一つを使用して、複数の領域のうち少なくとも一つの他の領域にデータを記録するステップとを含み、第１ピットパターンが複数の領域のうち一つにデータを記録するのに使われる時、複数の領域のうち、他の領域のうち少なくとも一つにデータを記録するのに前記第２ピットパターンのみが使われ、第１変調方式が複数の領域のうち一つにデータを記録するのに使われる時、前記複数の領域のうち、他の領域のうち少なくとも一つにデータを記録するのに第２変調方式のみが使われる方法が提供される。
【００２４】
本発明によれば、複数の領域を有する再生専用の光情報記録媒体を使用するための記録装置において、複数の領域にデータを記録する記録ユニットと、第１ピットパターンのピット状に複数の領域のうち少なくとも一つにデータを記録するように前記記録ユニットを制御し、前記第１ピットパターンと異なる第２ピットパターンのピット状に複数の領域のうち残りの領域にデータを記録するように記録ユニットを制御する制御部と、を備える装置を提供する。
【００２５】
本発明によれば、複数の領域を有する再生専用の光情報記録媒体を使用するための記録装置において、前記複数の領域にデータを記録する記録ユニットと、前記媒体に規定された第１ピットパターン及び第１記録変調方式のうち一つを使用して、複数の領域のうち一つにデータを記録するように前記記録ユニットを制御し、第２ピットパターン及び第２記録変調方式のうち一つを使用して、複数の領域のうち残りの領域の少なくとも一つにデータを記録するように記録ユニットを制御する制御部と、を備え、第１ピットパターンが複数の領域のうち一つにデータを記録するのに使われる時、複数の領域のうち、他の領域のうち少なくとも一つにデータを記録するのに前記第２ピットパターンのみが使われ、第１変調方式が複数の領域のうち一つにデータを記録するのに使われる時、前記複数の領域のうち、他の領域のうち少なくとも一つにデータを記録するのに第２変調方式のみが使われる記録装置を提供する。
【００２６】
本発明によれば、複数の層に複数の領域を有する再生専用の光情報記録媒体を使用するための記録装置において、前記複数の領域にデータを記録する記録ユニットと、第１ピットパターンのピット状に前記複数の領域のうち少なくとも一つにデータを記録するように記録ユニットを制御し、前記第１ピットパターンと異なる第２ピットパターンのピット状に複数の領域のうち残りの領域にデータを記録するように前記記録ユニットを制御する制御部とを備える記録装置を提供する。
【００２７】
本発明によれば、複数の領域を有する再生専用の光情報記録媒体を使用するための記録及び再生装置において、前記複数の領域に／からデータを記録／再生する記録及び再生ユニットと、第１変調方式によって、複数の領域のうち少なくとも一つにピット状にデータを記録するように前記記録及び再生ユニットを制御し、前記第１変調方式と異なる第２変調方式によって、複数の領域の残りの領域にピット状にデータを記録するように前記記録及び再生ユニットを制御し、前記第１変調方式及び第２変調方式のうち少なくとも一つでデータを再生するように記録及び再生ユニットを制御する制御部とを備える記録及び再生装置を提供する。
【発明を実施するための最良の形態】
【００２８】
本発明による光情報記録媒体は、再生専用で使われるものであって、機能または目的によって複数の領域に分類され、前記複数の領域のうち一部領域での記録変調方式または記録パターンが残りの他の領域での記録変調方式または記録パターンが異なって構成されている。
【００２９】
本発明において、光情報記録媒体は、機能または目的によって複数の領域に分類されるが、例えば、図１に示したように、ＢＣＡ  １０、リードイン領域２０、ユーザデータ領域３０、リードアウト領域４０を含む。そして、光情報記録媒体の全領域がピットで形成されている。言い換えれば、ＢＣＡ  １０、リードイン領域２０、ユーザデータ領域３０及びリードアウト領域４０が何れもピットで形成されている。これは、記録可能な光情報記録媒体が前領域がグルーブで形成されている点で一貫性を維持する。
【００３０】
ＢＣＡ  １０には、記録媒体の一連番号やＢＣＡ領域という情報がピットによって記録される。リードイン領域２０には、ディスク関連情報及び複写防止情報が記録される。ディスク関連情報としては、例えば、記録可能型ディスク、追記型ディスク、再生専用ディスクのような記録媒体の種類についての情報、記録層数についての情報、記録速度情報、ディスクサイズ情報のようなものがある。
【００３１】
本発明の第１実施形態による光情報記録媒体は、ＢＣＡ  １０、リードイン領域２０、ユーザデータ領域３０またはリードアウト領域４０に形成されたピットパターンが異なって構成されるか、または前記各領域の記録変調方式が異なって構成される。
【００３２】
まず、前記各領域のピットパターンが異なって構成された場合について説明する。例えば、ＢＣＡ  １０のピットパターンがリードイン領域２０、ユーザデータ領域３０、リードアウト領域４０のピットパターンと異なって構成される。ここで、ＢＣＡ  １０でのピットは、ストレートパターンまたはウォッブリングパターンで形成される。ストレートピットは、ピットが直線型に配列された場合を表し、ウォッブリングピットは、ピットがウェーブ型に配列された場合を表す。
【００３３】
前記ストレートピットとウォッブリングピットとは、単一パターン、特定パターンまたはランダムパターンで配列される。単一パターンは、ｎＴの同じ長さを有するピットが一定間隔で配列されているパターンを意味する。ここで、ｎは、自然数を、Ｔは、ピットの最小長さを表す。例えば、ストレート単一パターンは、図２Ａに示したように、単一パターンが直線型に配列された場合を表し、ウォッブリング単一パターンは、図２Ｂに示したように、単一パターンがウェーブ型に配列された場合を表す。
【００３４】
特定パターンは、異なる長さを有するピットの配列が反復的に現れるパターンを意味する。例えば、３Ｔと６Ｔとの組合わせによるピットパターンが反復的に配列される。このとき、シンクパターンを９Ｔのピットで構成できる。ここで、ストレート特定パターンは、図２Ｃに示したように、特定パターンが直線型に配列された場合を表し、ウォッブリング特定パターンは、図２Ｄに示したように、特定パターンがウェーブ型に配列された場合を表す。
【００３５】
そして、ランダムパターンのピットは、異なる長さを有するピットの配列が不規則的になされたパターンを意味する。例えば、ストレートランダムパターンは、図２Ｅに示したように、ランダムパターンが直線型に配列された場合を表し、ウォッブリングランダムパターンは、図２Ｆに示したように、ランダムパターンがウェーブ型に配列された場合を表す。
【００３６】
ＢＣＡ  １０のピットがストレート単一パターン、ストレート特定パターン、ストレートランダムパターン、ウォッブリング単一パターン、ウォッブリング特定パターン及びウォッブリングランダムパターンのうち何れか一つのパターンで形成され、リードイン領域２０及びユーザデータ領域３０のピットがＢＣＡ  １０のピットパターンと異なるパターンで形成される。
【００３７】
具体的に説明すれば、図３Ａに示したように、ＢＣＡ  １０のピットがストレート単一パターンで形成され、リードイン領域２０及びユーザデータ領域３０のピットがストレートランダムパターンで形成される。また、図３Ｂに示したように、ＢＣＡ  １０がストレート特定パターンで形成され、リードイン領域２０及びユーザデータ領域３０のピットがストレートランダムパターンで形成される。さらに他の例として、図３Ｃに示したように、ＢＣＡ  １０のピットがストレート単一パターンで形成され、リードイン領域２０及びユーザデータ領域３０のピットがウォッブリングランダムパターンで形成される。特に、ウォッブリングランダムパターンの場合に、ウォッブルの振幅が漸進的に減少または増大する。ウォッブリングランダムパターンで、ウォッブルの振幅が漸進的に減少する場合を図３Ｄに示した。
【００３８】
ここで、再生専用のデータは、差動プッシュプル検出（ＤＰＤ：Ｄｉｆｆｅｒｅｎｔｉａｌ  Ｐｕｓｈ−ｐｕｌｌ  Ｄｅｔｅｃｔ）方式によってトラッキングサーボが具現されることが一般的である。ＤＰＤ方式は、公知のものであるので、ここでは詳細な説明を省略する。しかし、再生専用のデータが単一パターンのピットで記録された場合には、ＤＰＤ信号が検出されないため、ＤＰＤ方式を使用できない。しかし、本発明では、ＢＣＡ  １０を再生する時、フォーカシングサーボのみを具現して再生するので、ＤＰＤ方式を採用しても、ＢＣＡ  １０領域には影響を及ぼさない。言い換えれば、図３Ａ、図３Ｃ及び図３Ｄに示したように、ＢＣＡ  １０のピットが単一パターンで形成されているとしても、ＢＣＡ  １０では、トラッキングサーボを具現する必要がないので、ＤＰＤ方式を採用しても良い。したがって、ＢＣＡ  １０を除外した他の領域、すなわち、リードイン領域２０、ユーザデータ領域３０、リードアウト領域４０では、ＤＰＤ方式を使用してデータを再生できる。
【００３９】
さらに他の例として、ＢＣＡ  １０のピットがストレートランダムパターンで形成され、リードイン領域２０及びユーザデータ領域３０のピットがストレートランダムパターンまたはウォッブリングランダムパターンで形成される。次いで、ＢＣＡ  １０のピットがストレートランダムパターンで形成され、リードイン領域２０またはユーザデータ領域３０がウォッブリングランダムパターンで形成されうる。このように、ＢＣＡ  １０のピットがランダムパターンで形成された場合、ＢＣＡ  １０のピットパターンは、例えば、００ｈパターンやＢＣＡ領域という情報を表すパターンでありうる。
【００４０】
また、ＢＣＡ  １０、リードイン領域２０及びユーザデータ領域３０がそれぞれ異なるピットパターンで形成される。例えば、図４Ａに示したように、ＢＣＡ  １０がストレート単一パターンで形成され、リードイン領域２０のピットがストレートランダムパターンで形成され、ユーザデータ領域３０のピットがウォッブリングランダムパターンで形成される。また、図４Ｂに示したように、ＢＣＡ  １０のピットがストレート特定パターンで形成され、リードイン領域２０のピットがウォッブリングランダムパターンで形成され、ユーザデータ領域３０のピットがストレートランダムパターンで形成される。
【００４１】
次いで、ＢＣＡ  １０、リードイン領域２０、ユーザデータ領域３０及びリードアウト領域４０の記録変調方式が異なって構成された場合について説明する。
【００４２】
ＢＣＡ  １０の記録変調方式がＲＬＬ（ｄ,ｋ）変調方式またはバイフェーズ変調方式からなり、リードイン領域２０、ユーザデータ領域３０、リードアウト領域４０がＢＣＡ  １０の変調方式と異なる変調方式を使用する。
【００４３】
バイフェーズ変調方式は、一定の周期内の信号変化の存否によってデータを表示する方式である。例えば、図５Ａに示したように、所定周期Ｐ内でウォッブルの位相が変わらない時には、０（または１）ビットを、ウォッブルの位相が変わる時には、１（または０）ビットを表す。このように、一定の周期内で所定の信号変化の有無、例えば、位相の変化有無によって、データを記録する方式をバイフェーズ変調方式と称す。ここでは、ウォッブルの位相変調を説明したが、これ以外にも多様なパターンの位相変調が可能である。
【００４４】
図５Ｂに示したように、所定の一周期Ｐ内でピットの変化がない場合には、０（または１）ビットを、ピットの変化がある場合には、１（または０）ビットをそれぞれ表す。すなわち、一周期Ｐ内にピットしかない場合には、０（または１）ビットを、一周期Ｐ内でピットとスペースとが交代である場合には、１（または０）ビットをそれぞれ表す。
【００４５】
一方、ＲＬＬ変調方式は、１ビットと１ビットとの間に０ビットが幾つあるかによる変調方式を表すものであって、ＲＬＬ（ｄ,ｋ）は、１ビットと１ビットとの間にある０ビットの数が最小ｄ個であり、最大ｋ個であることを意味する。例えば、ＲＬＬ（１,７）は、１ビットと１ビットとの間にある０ビットの数が最小１個、最大７個であって１−７個である方式を表す。この変調方式によれば、ｄ＝１である時（１０１０１０１）のデータが記録されて、１ビットと１ビットとの間に２Ｔの長さを有する。また、ｄ＝７である時（１０００００００１０００００００１）のデータが記録されて、１ビットと１ビットとの間に８Ｔの長さを有する。ここで、Ｔは、最小マーク、すなわち、最小ピットの長さを表す。したがって、ＲＬＬ（１,７）変調方式では、データが（２Ｔ−８Ｔ）の長さを有するピット及びスペースで記録される。
【００４６】
前記例では、ＢＣＡ  １０の記録変調方式が残りの他の領域の記録変調方式と異なる場合について説明したが、リードイン領域２０の記録変調方式が残りの他の領域の記録変調方式と異なることもある。例えば、リードイン領域２０の記録変調方式がＲＬＬ（ｄ,ｋ）変調方式やバイフェーズ変調方式を使用し、ＢＣＡ  １０、ユーザデータ領域３０及びリードアウト領域４０の記録変調方式がリードイン領域２０の変調方式と異なる変調方式を使用できる。
【００４７】
一方、ＢＣＡ  １０にあるピットのトラックピッチがリードイン領域２０及び／またはユーザデータ領域３０にあるピットのトラックピッチと同じでも異なってもよい。
【００４８】
次いで、本発明の第２実施形態による光情報記録媒体は、機能または目的によって複数の領域を含み、前記複数の領域のうち少なくとも一つの領域の一部が残りの他の領域と異なるピットパターンまたは異なる記録変調方式を採用する。
【００４９】
例えば、リードイン領域２０が複数の小領域に分けられる。例えば、図６に示したように、リードイン領域２０が第１領域２０ａと第２領域２０ｂとに分けられる時、第１領域２０ａ及び第２領域２０ｂのピットが異なるパターンまたは異なる変調方式で形成される。第１領域２０ａのピットがストレート単一パターン、ストレート特定パターン、ストレートランダムパターン、ウォッブリング単一パターン、ウォッブリング特定パターンまたはウォッブリングランダムパターンで形成され、第２領域２０ｂのピットが第１領域２０ａのピットパターンと異なるパターンで形成される。
【００５０】
例えば、図８Ａに示したように、第１領域２０ａのピットがストレートランダムパターンで形成され、第２領域２０ｂのピットがウォッブリングランダムパターンで形成される。また、図８Ｂに示したように、第１領域２０ａのピットがストレート特定パターンで形成され、第２領域２０ｂのピットがストレートランダムパターンで形成される。
【００５１】
さらに、第１領域２０ａのピットパターンまたは第２領域２０ｂのピットパターンがＢＣＡ  １０及びユーザデータ領域３０のピットパターンと異なって構成される。例えば、図８Ａに示したように、ＢＣＡ  １０のピットは、ストレート単一パターンで形成され、第１領域２０ａのピットは、ストレート特定パターンで形成され、第２領域２０ｂとユーザデータ領域３０とは、ストレートランダムパターンで形成される。また、図８Ｂに示したように、ＢＣＡ  １０のピットは、ストレート単一パターンで形成され、第１領域２０ａのピットは、ストレートランダムパターンで形成され、第２領域２０ｂのピットは、ストレート特定パターンで形成され、ユーザデータ領域３０のピットは、ウォッブリングランダムパターンで形成される。
【００５２】
他の例として、ユーザデータ領域３０が２個以上の小領域に分けられ、この小領域のピットが異なるパターンで形成されるか、またはこの小領域のピットパターンがＢＣＡ  １０またはリードイン領域１０のピットパターンと異なりうる。また、前記小領域の記録変調方式が異なるか、または前記小領域とＢＣＡ  １０またはリードイン領域１０の記録変調方式が異なりうる。
【００５３】
一方、ユーザデータ領域３０（図６に示す）にデータが記録される時、図９に示したように、基本記録単位３３ごとにデータが記録される。そして、この基本記録単位３３の前と後には、ランイン３１とランアウト３５とが備えられる。ここで、基本記録単位は、物理的クラスター、セクター、ＥＣＣブロック、フレームとなりうる。ランイン３１とランアウト３５とは、データの記録／再生時、基本記録単位３３にデータを正確に記録するためのものである。すなわち、データが記録しようとする定位置から若干逸脱してランイン３１またはランアウト３５に記録される場合、エラー訂正して処理することによって、データを円滑に記録／再生する。
【００５４】
ここで、ランイン３１及びランアウト３５のピットは、ユーザデータ領域３０と同じピットパターンで形成される。例えば、ユーザデータ領域３０のピットがストレートランダムパターンまたはウォッブリングランダムパターンで形成される時、ランイン３１及びランアウト３５のピットもストレートランダムパターンまたはウォッブリングランダムパターンで形成される。ランダムパターンの一例として００ｈが記録されるが、図９に示したように、ランイン３１、基本記録単位３３及びランアウト３５のピットが何れも００ｈで記録される。
【００５５】
一方、ランイン３１及びランアウト３５のピットがユーザデータ領域３０と異なるピットパターンで形成されることもある。
【００５６】
次いで、光情報記録媒体に含まれた複数の領域のうち少なくとも一つの領域の一部が、残りの他の領域と異なる記録変調方式を使用してデータを記録できる。
【００５７】
例えば、第１領域２０ａにＲＬＬ（ｄ,ｋ）変調方式によってデータを記録し、第２領域２０ｂにバイフェーズ変調方式によってデータを記録できる。また、第１領域２０ａにバイフェーズ変調方式によってデータが記録され、第２領域２０ｂ、ＢＣＡ  １０、ユーザデータ領域３０には、ＲＬＬ（ｄ、ｋ）変調方式によってデータが記録されるか、逆に、第１領域２０ａがＲＬＬ（ｄ,ｋ）変調方式を使用して残りの領域がバイフェーズ変調方式を使用できる。
【００５８】
図１０を参照するに、これに限定されない例であるが、ＣＤまたはＤＶＤのような光記録媒体に／からデータを記録／再生する記録／再生ユニット１００の概略的な図を示している。
【００５９】
記録／再生ユニット１００は、光記録媒体３００に／から情報を記録／再生するために光源１０１を含む。記録／再生ユニット１００は、ビームスプリッタ１０２を含み、前記ビームスプリッタは、光源１０１から出射してビームスプリッタ１０２から光記録媒体３００に向かって反射されたビームの経路上に配列され、ビームスプリッタ１０２から反射されたビームを集束させるための対物レンズ１０４を含む。
【００６０】
記録／再生ユニット１００は、記録された情報を検出し、前記光記録媒体から反射されたビームからエラーを検出するための光検出器１０５をさらに含む。
【００６１】
図１１を参照するに、本発明の実施形態による記録／再生装置のブロック図である。前記装置は、記録／再生ユニット１００と制御部２００とを含む。記録／再生ユニット１００は、情報記録媒体である追記型の記録媒体３００にデータを記録し、かつ／または媒体からデータを再生する。
【産業上の利用可能性】
【００６２】
本発明は、単層の光情報記録媒体だけでなく、２層以上の記録層を有する光情報記録媒体にも適用される。すなわち、多層の光情報記録媒体の場合、各記録層ごとに前記本発明が同一に適用される。
【００６３】
本発明による光情報記録媒体は、データ領域ではないＢＣＡ領域におけるピットパターンまたは記録変調方式を定めて記録媒体ドライブの互換性を確保し、それにより、データの再生性能を向上させ、ユーザの便宜を図ることができる。そして、記録可能な光情報記録媒体についてのフォーマットとの一貫性を維持できる。
【００６４】
前記実施形態は、例示的なものに過ぎず、当業者ならば、これから多様な変形及び均等な他の実施形態が可能である。したがって、本発明の真の技術的保護範囲は、特許請求の範囲に記載された発明の技術的思想によって決定されねばならない。
【図面の簡単な説明】
【００６５】
【図１】再生専用の光情報記録媒体の全体的な構造を示す図である。
【図２Ａ】ピットのストレート単一パターンを示す図である。
【図２Ｂ】ピットのウォッブリング単一パターンを示す図である。
【図２Ｃ】ピットのストレート特定パターンを示す図である。
【図２Ｄ】ピットのウォッブリング特定パターンを示す図である。
【図２Ｅ】ピットのストレートランダムパターンを示す図である。
【図２Ｆ】ピットのウォッブリングランダムパターンを示す図である。
【図３Ａ】本発明の第１実施形態による光情報記録媒体の各領域に対するピットパターンを示す図である。
【図３Ｂ】本発明の第１実施形態による光情報記録媒体の各領域に対するピットパターンを示す図である。
【図３Ｃ】本発明の第１実施形態による光情報記録媒体の各領域に対するピットパターンを示す図である。
【図３Ｄ】本発明の第１実施形態による光情報記録媒体の各領域に対するピットパターンを示す図である。
【図４Ａ】本発明の第１実施形態による光情報記録媒体の各領域に対するピットパターンを示す図である。
【図４Ｂ】本発明の第１実施形態による光情報記録媒体の各領域に対するピットパターンを示す図である。
【図５Ａ】バイフェーズ変調方式を説明するための図である。
【図５Ｂ】バイフェーズ変調方式を説明するための図である。
【図６】本発明の第２実施形態による光情報記録媒体の全体的な構造を示す図である。
【図７Ａ】本発明の第２実施形態による光情報記録媒体の各領域に対するピットパターンを示す図である。
【図７Ｂ】本発明の第２実施形態による光情報記録媒体の各領域に対するピットパターンを示す図である。
【図８Ａ】本発明の第２実施形態による光情報記録媒体の各領域に対するピットパターンを示す図である。
【図８Ｂ】本発明の第２実施形態による光情報記録媒体の各領域に対するピットパターンを示す図である。
【図９】本発明の第２実施形態による光情報記録媒体で、基本記録単位、ランイン及びランアウトの記録パターンの一例を示す図である。
【図１０】本発明の実施形態による記録／再生装置の概略的な図である。
【図１１】本発明の実施形態による記録／再生装置のブロック図である。
【図１】
2006517326.tif 000003
2006517326.tif 000004
2006517326.tif 000005
【図３Ａ】
2006517326.tif 000006
【図３Ｂ】
2006517326.tif 000007
【図３Ｃ】
2006517326.tif 000008
【図３Ｄ】
2006517326.tif 000009
【図４Ａ】
2006517326.tif 000010
【図４Ｂ】
2006517326.tif 000011
2006517326.tif 000012
2006517326.tif 000013
【図６】
2006517326.tif 000014
【図７Ａ】
2006517326.tif 000015
【図７Ｂ】
2006517326.tif 000016
【図８Ａ】
2006517326.tif 000017
【図８Ｂ】
2006517326.tif 000018
【図９】
2006517326.tif 000019
【図１０】
2006517326.tif 000020
【図１１】
2006517326.tif 000021
【国際調査報告】
2006517326.tif 000022